(57)【特許請求の範囲】
【請求項１】
郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートのプレート本体の一端部に突設されて前記第１係止突起と係止して郵便受箱投入防止プレートを前記溝に取り付ける第１係止体と、前記プレート本体の他端部に突設されて前記第２係止突起と係止して郵便受箱投入防止プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴とする投入防止プレート付き郵便受箱。
【請求項２】
郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートのプレート本体の背面に突設されると共にプレート本体の長手方向に沿って形成されたリブと、このリブの一端部に突設されて前記第１係止突起と係止して郵便受箱投入プレートを前記溝に取り付ける第１係止体と、前記リブの他端部に突設されて前記第２係止突起と係止して郵便受箱投入プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴とする投入防止プレート付き郵便受箱。
【請求項３】
郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートを構成すると共に正面側方向に反って形成された長方形状のプレート本体と、このプレート本体の背面に突設されると共にプレート本体の長手方向に沿って形成されたリブと、このリブの一端部に突設されて前記第１係止突起と係止して前記郵便受箱投入防止プレートを前記溝に取り付ける第１係止体と、前記リブの他端部に突設されて前記第２係止突起と係止して前記郵便受箱投入防止プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴とする投入防止プレート付き郵便受箱。
【発明の詳細な説明】
【技術分野】
【０００１】
本発明は、郵便受箱のフラップを回動させて投入口からチラシやビラ等を勝手に投入することを防止できる投入防止プレート付き郵便受箱に関する。
【背景技術】
【０００２】
郵便受箱の中には郵便受箱本体に扉とフラップが取り付けられてなるタイプの郵便受箱がある。
このタイプの郵便受箱においては郵便物を常時投入できるように前記フラップは回動自在に設けられているので、フラップを回動させて投入口から不要なチラシやビラ等を投入することができる。
このためマンションやアパート等の集合住宅のエントランス等に設置される郵便受箱であって未入居室や空室の郵便受箱のように長期間に渡って使用されていない郵便受箱においては投入口に大量のチラシやビラ等が差し込まれてしまう場合が多く、郵便受箱が見苦しくなると共に前記エントランスの雰囲気が悪くなる。
また、郵便受箱が見苦しくなったりエントランスの雰囲気が悪くなるのを防ぐために集合住宅の管理人が郵便受箱に差し込まれたチラシやビラ等を引き抜いて片付けることは管理人にとって余計な仕事が増えることになる。
そこで、郵便受箱の投入口からチラシやビラ等が投入されるのを防止する郵便受箱投入防止プレートが提案されている（特許文献１）。
しかし、この郵便受箱投入防止プレートはフラップを回動させて投入口から差し込むことにより容易に取り付けることができるが、取り付けられた郵便受箱投入防止プレートは手前側に強く引っ張れば容易に引き抜いて取り外すことができる。
このため、郵便受箱に取り付けられた郵便受箱投入防止プレートを引き抜いて取り外し、投入口からチラシやビラ等が投入されてしまうという不具合がある。
また、前記郵便受箱投入防止プレートは容易に取り外すことができるので盗まれてしまうおそれもある。
【先行技術文献】
【特許文献】
【０００３】
【特許文献１】実用新案登録第３０９３５６０号公報
【発明の概要】
【発明が解決しようとする課題】
【０００４】
本発明は、上記事実に鑑みなされたものであり、容易に郵便受箱投入防止プレートを郵便受箱に取り付けることができるが郵便受箱の扉を開けなければ郵便受箱投入防止プレートを取り外すことが困難な投入防止プレート付き郵便受箱を提供するものである。
【課題を解決するための手段】
【０００５】
請求項１の発明は、郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートのプレート本体の一端部に突設されて前記第１係止突起と係止して郵便受箱投入防止プレートを前記溝に取り付ける第１係止体と、前記プレート本体の他端部に突設されて前記第２係止突起と係止して郵便受箱投入防止プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴としている。
請求項２の発明は、郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートのプレート本体の背面に突設されると共にプレート本体の長手方向に沿って形成されたリブと、このリブの一端部に突設されて前記第１係止突起と係止して郵便受箱投入プレートを前記溝に取り付ける第１係止体と、前記リブの他端部に突設されて前記第２係止突起と係止して郵便受箱投入プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴としている。
請求項３の発明は、郵便受箱と郵便受箱投入防止プレートを備えてなる投入防止プレート付き郵便受箱であって、前記郵便受箱の郵便受箱本体に回動可能に取り付けられた扉と、この扉の上方で前記郵便受箱本体に回動可能に取り付けられて前記郵便受箱本体の投入口を開閉するフラップと、前記扉の上部正面側に形成された溝と、この溝の一端部に形成された第１係止突起と、前記溝の他端部に形成された第２係止突起と、前記溝に着脱可能に取り付けられると共に溝に取り付けられると前記フラップの回動を阻止する可撓性材料で形成された前記郵便受箱投入防止プレートと、この郵便受箱投入防止プレートを構成すると共に正面側方向に反って形成された長方形状のプレート本体と、このプレート本体の背面に突設されると共にプレート本体の長手方向に沿って形成されたリブと、このリブの一端部に突設されて前記第１係止突起と係止して前記郵便受箱投入防止プレートを前記溝に取り付ける第１係止体と、前記リブの他端部に突設されて前記第２係止突起と係止して前記郵便受箱投入防止プレートを前記溝に取り付ける第２係止体と、前記扉に設けられて扉を閉状態に維持することができると共に扉を閉状態に維持することにより前記溝に取り付けられた前記郵便受箱投入防止プレートの取り外しを阻止できる錠と、を有してなることを特徴としている。
【発明の効果】
【０００６】
本発明の投入防止プレート付き郵便受箱は、郵便受箱投入防止プレートを郵便受箱に容易に取り付けることはできるが、郵便受箱の扉を開けないと取り外すことができないので勝手にチラシやビラ等が投入されることを防止できるという優れた効果を有する。
本発明の投入防止プレート付き郵便受箱は、勝手にチラシやビラ等が郵便受箱に投入されるのを防止できるので、郵便受箱が見苦しくなるのを防止できると共に郵便受箱が設置された集合住宅のエントランスの美感や雰囲気が損なわれるのを防止できるという優れた効果を有する。
本発明の投入防止プレート付き郵便受箱は、郵便受箱の扉を開けないと郵便受箱投入防止プレートを取り外すことができないので、郵便受箱投入防止プレートが悪戯されたり盗まれたりするのを防止できるという優れた効果を有する。
本発明の投入防止プレート付き郵便受箱は、郵便受箱投入防止プレートを郵便受箱に取り付けた場合、郵便受箱投入防止プレートの上部は郵便受箱のフラップの下部に位置し、郵便受箱投入防止プレートの下部は郵便受箱の扉の上部に位置するため、郵便受箱投入防止プレートがフラップを大きく覆うようなことはないので郵便受箱のデザインを可及的に生かすことができると共に外観品質を損なうこともないという優れた効果を有する。
【図面の簡単な説明】
【０００７】
【図１】実施例の投入防止プレート付き郵便受箱の全体斜視図である。
【図２】実施例の投入防止プレート付き郵便受箱の扉を開いて郵便受箱投入防止プレートを取り外した状態の斜視図である。
【図３】実施例の投入防止プレート付き郵便受箱の扉の一部拡大斜視図である。
【図４】実施例の投入防止プレート付き郵便受箱に郵便受箱投入防止プレートを取り付ける作用説明図である。
【図５】実施例の投入防止プレート付き郵便受箱の郵便受箱投入防止プレートの平面図である。
【図６】実施例の投入防止プレート付き郵便受箱の郵便受箱投入防止プレートを背面から見た斜視図である。
【図７】実施例の投入防止プレート付き郵便受箱に使用される他の郵便受箱投入防止プレートの平面図である。
【発明を実施するための形態】
【０００８】
発明を実施するために最良の形態の例として以下のような実施例を示す。
【実施例１】
【０００９】
図１〜図６には本発明に係る投入防止プレート付き郵便受箱の一実施例が示されている。
図１には投入防止プレート付き郵便受箱１０が示されている。この投入防止プレート付き郵便受箱１０は郵便受箱１１と後述する郵便受箱投入防止プレートを備えている。
図２に示されるように、前記郵便受箱１１の郵便受箱本体１２の正面側には扉１４がヒンジ（図示せず）を介して矢印Ａ１、矢印Ａ２方向に回動可能に取り付けられている。この扉１４を開けることにより前記郵便受箱本体１２の内部に設けられた郵便物収容部１２Ａから郵便物を取り出すことができるようになっている。
図３に示されるように、前記扉１４の正面側１４Ａの上端部には扉１４の幅方向に向かって溝としての郵便受箱投入防止プレート取付溝１６が形成されている。この郵便受箱投入防止プレート取付溝１６の一端部１６Ａには第１係止突起１８が郵便受箱投入防止プレート取付溝１６の他端部１６Ｂに向かって突設されている。これにより、郵便受箱投入防止プレート取付溝１６の一端部１６Ａには第１係止凹部１６Ａが形成される。また、この郵便受箱投入防止プレート取付溝１６の他端部１６Ｂには第２係止突起２０が郵便受箱投入防止プレート取付溝１６の一端部１６Ａに向かって突設されている。これにより、郵便受箱投入防止プレート取付溝１６の他端部１６Ｂには第２係止凹部２０Ａが形成される。
また、前記郵便受箱投入防止プレート取付溝１６の正面１６Ｃは扉１４の上端面１４Ｂに近づくに従って扉１４の背面１４Ｃ側に傾斜するように形成されている。
図２に示されるように、前記扉１４には錠としてのボタン錠２２が設けられている。また、前記扉１４の上方には郵便受箱本体１２の投入口１２Ｂを閉じたり開けたりできるフラップ２４が設けられている。このフラップ２４はヒンジ（図示せず）を介して矢印Ｂ１、矢印Ｂ２方向に回動可能に取り付けられている。このフラップ２４を開けることにより投入口１２Ｂから郵便受箱本体１２内の郵便物収容部１２Ａに郵便物を投入できるようになっている。
図５及び図６に示されるように、郵便受箱投入防止プレート２６は可撓性材料であるプラスチックで一体形成されている。従って、この郵便受箱投入防止プレート２６は少し撓ませることができるようになっている（図４に想像線で示す）。
前記郵便受箱投入防止プレート２６のプレート本体２８は横長の長方形状に形成され、図５に示されるように正面２８Ａ側に少し反るように形成されている。このプレート本体２８の背面２８Ｂにはリブ３０がプレート本体２８の長手方向に沿って形成されている。
前記リブ３０の一端部には前記第１係止凹部１８Ａに差し込めることができると共に第１係止突起１８と係止可能な第１係止体３２が突設され、前記リブ３０の他端部には前記第２係止凹部２０Ａに差し込めることができると共に第２係止突起２０と係止可能な第２係止体３４が突設されている。
【００１０】
実施例の投入防止プレート付き郵便受箱１０の作用について説明する。
例えば、マンションに未入居室や空室がある場合にその実入居室や空室の投入防止プレート付き郵便受箱１０にマンション管理人等が郵便受箱投入防止プレート２６を取り付ける場合は図４に想像線で示すように郵便受箱投入防止プレート２６をプレート本体２８の背面２８Ｂ側に反るように少し撓ませる。
そして、郵便受箱投入防止プレート２６のリブ３０の一端部に突設された第１係止体３２を扉１４の第１係止凹部１８Ａに差し込んで第１係止突起１８と係止させる。また、前記リブ３０の他端部に突設された第２係止体３４を扉１４の第２係止凹部２０Ａに差し込んで第２係止突起２０と係止させる。
これにより、図１に示されるように前記郵便受箱投入防止プレート２６は郵便受箱１１に取り付けられる。しかも、郵便受箱投入防止プレート２６は取り付けた後にプレート本体２８の正面２８Ａ側に少し反るように弾性復帰するため、プレート本体２８の正面２８Ａは前記第１係止突起１８及び第２係止突起２０と密着当接する。
また、取り付けられた郵便受箱投入防止プレート２６は上部が郵便受箱１１のフラップ２４の下部の正面側に位置し、下部が郵便受箱１１の扉１４の上部の正面側に位置した状態で郵便受箱１１に取り付けられる。
このため、フラップ２４を図２矢印Ｂ１方向に回動させて投入口１２Ｂを開けようとしてもフラップ２４は郵便受箱投入防止プレート２６によって回動を阻止される。この結果、フラップ２４を図２矢印Ｂ１方向に回動させて投入口１２Ｂを開けることができないのでチラシやビラ等を投入口１２Ｂに投入することができない。
従って、マンションやアパート等の集合住宅のエントランス等に設置されると共に使用されていない郵便受箱１１にチラシやビラ等が差し込まれるのを防止できるので、郵便受箱１１が見苦しくなるのを防ぐことができると共に郵便受箱１１を設置した集合住宅のエントランスの美感や雰囲気が損なわれるのを防止できる。
また、前記郵便受箱１１に取り付けられた前記郵便受箱投入防止プレート２６を取り外そうとして郵便受箱投入防止プレート２６を摘んで手前側に引っ張ったりしても郵便受箱投入防止プレート２６の第１係止体３２は第１係止突起１８と係止状態を維持し、前記第２係止体３４は第２係止突起２０と係止状態を維持しているので、郵便受箱投入防止プレート２６を取り外すことは困難なため郵便受箱投入防止プレート２６を悪戯したり盗んだりすることを防止できる。
さらに、上述したように前記郵便受箱投入防止プレート２６の上部は郵便受箱１１のフラップ２４の下部の正面側に位置し、郵便受箱投入防止プレート２６の下部は郵便受箱１１の扉２４の上部の正面側に位置するため、郵便受箱投入防止プレート２６がフラップ２４を大きく覆うようなことはないので郵便受箱１１のデザインを可及的に生かすことができると共に外観品質を損なうようなこともない。
また、上述したように前記郵便受箱投入防止プレート２６は容易に郵便受箱１１に着脱できるので、当該投入防止プレート付き郵便受箱１０の部屋の住人が旅行等で数日間留守にする場合等に予め郵便受箱投入防止プレート２６を郵便受箱１１に取り付けておけば留守中にチラシやビラ等が勝手に郵便受箱１１に投入されるのを防止することができる。
なお、前記郵便受箱１１から郵便受箱投入防止プレート２６を取り外したい場合はマンション管理人等が前記ボタン錠２２を操作、開錠して扉１４を開け（図２の状態）、郵便受箱投入防止プレート２６を上方に引っ張れば容易に郵便受箱投入防止プレート２６を取り外すことができる。
【００１１】
なお、実施例では郵便受箱投入防止プレート２６のプレート本体２８を表面２８Ａ側に少し反るように形成したが、これに限定されるものでなく図７に示されるようにプレート本体２８を直線状に形成してもよいことは勿論である。
【００１２】
なお、実施例では郵便受箱投入防止プレート２６を可撓性材料であるプラスチックで形成したが可撓性材料であればプラスチックに限定されるものでなく、他の材料で形成してもよいことは勿論である。
【産業上の利用可能性】
【００１３】
本発明の投入防止プレート付き郵便受箱１０はマンションやアパート等の集合住宅に設置される郵便受箱以外の郵便受箱にも使用することができる。
【符号の説明】
【００１４】
１０    投入防止プレート付き郵便受箱
１１    郵便受箱
１２    郵便受箱本体
１４    扉
１６    郵便受箱投入防止プレート取付溝
１８    第１係止突起
２０    第２係止突起
２４    フラップ
２６    郵便受箱投入防止プレート
２８    プレート本体
３０    リブ
３２    第１係止体
３４    第２係止体
【図１】
0005916317.tif 000002
【図２】
0005916317.tif 000003
【図３】
0005916317.tif 000004
【図４】
0005916317.tif 000005
【図５】
0005916317.tif 000006
【図６】
0005916317.tif 000007
【図７】
0005916317.tif 000008